(57)【要約】【課題】信号端子及び接地端子の配列を任意に変更可能なコネクタソケットを提供する。【解決手段】コネクタソケット１は、複数の端子装着部１１を有する本体１０と、複数の端子装着部１１にそれぞれ装着された複数の端子１２と、本体１０に取り付けられた接地シールド部材１３と、を備える。複数の端子１２は、本体１０の外側に突出して接地シールド部材１３に接触する突出部１２３を有する接地端子１２Ｇと、接地シールド部材１３に接触しない信号端子１２Ｓと、を含み、接地端子１２Ｇ及び信号端子１２Ｓの各々は、複数の端子装着部１１のいずれにも装着可能に形成されている。【選択図】図２
2017050235.tif 000002
【特許請求の範囲】
【請求項１】
複数の端子装着部を有する本体と、
前記複数の端子装着部にそれぞれ装着された複数の端子と、
前記本体に取り付けられた接地シールド部材と、を備え、
前記複数の端子は、前記本体の外側に突出して前記接地シールド部材に接触する突出部を有する接地端子と、前記接地シールド部材に接触しない信号端子と、を含み、
前記接地端子及び前記信号端子の各々は、前記複数の端子装着部のいずれにも装着可能に形成されている、コネクタソケット。
【請求項２】
前記複数の端子装着部は、前記本体上に２列に配置され、
前記複数の端子装着部の一方の列と他方の列との間に位置するように前記本体に取り付けられた他の接地シールド部材をさらに備える、請求項１に記載のコネクタソケット。
【請求項３】
前記複数の端子には、複数の前記接地端子が含まれ、
複数の前記接地端子のうちの隣り合う２つの前記接地端子の間には、１つ又は複数の前記信号端子が配置される、請求項１または２に記載のコネクタソケット。
【請求項４】
前記接地端子は、前記突出部を除いて前記信号端子と同一の形状を有する、請求項１〜３のいずれか１項に記載のコネクタソケット。
【請求項５】
請求項１〜４のいずれか１項に記載のコネクタソケットと、
前記コネクタソケットと結合可能なコネクタヘッダーと、を備えるコネクタ。
【発明の詳細な説明】
【技術分野】
【０００１】
本発明は、コネクタソケット及びコネクタに関する。
【背景技術】
【０００２】
携帯電話端末やノートＰＣ等のモバイル機器に搭載されるディスプレイ信号伝送用のインタフェースとして、ＭＩＰＩやｅＤＰ等が知られている。ＭＩＰＩはＭｏｂｉｌｅ  Ｉｎｄｕｓｔｒｙ  Ｐｒｏｃｅｓｓｏｒ  Ｉｎｔｅｒｆａｃｅの略称であり、ｅＤＰはｅｍｂｅｄｄｅｄ  Ｄｉｓｐｌａｙ  Ｐｏｒｔの略称である。近年のディスプレイの高精細化に伴い、ＭＩＰＩやｅＤＰ等による伝送速度は５Ｇｂｐｓ程度に達している。今後は８Ｋ映像に対応するために１０Ｇｂｐｓを超える高速化が期待されている。一般に、信号線にノイズが重畳すると信号品質が劣化することが知られている。そのような信号品質の劣化を防止するために、シールド鈑金、導電性シート又はノイズフィルタ等が使用されている。しかし、これら部品を搭載すると装置全体の寸法が大型化するので、エンドユーザからの小型化の要求に応えることができない。また、伝送速度を低くすることによって信号品質の劣化を防止することも可能ではあるが、その場合は高精細かつスムーズな描画を実現することができなくなる。
【０００３】
同様に、モバイル機器のオーディオ信号に代表されるアナログ信号は、ノイズの重畳によって品質が劣化する。例えば、オーディオ信号にノイズが重畳すると、音声品質を確保するのが困難になるので音声が聞き取りづらくなる。そのため、アナログ信号の配線は基板上で他の配線から電気的に遮断されている。しかし、複数の基板がスタッキングコネクタによって接続される場合には、アナログ信号がコネクタにおいて他の信号からノイズを受けるおそれがある。ディスプレイ信号のノイズ対策と同様に、シールド鈑金、導電性シート又はノイズフィルタ等を用いたノイズ対策が考えられるが、やはり装置全体の寸法が大型化するのでエンドユーザからの小型化の要求に応えることができない。
【０００４】
ところで、モバイル機器に搭載される無線回路は、セルラー、ＴＶ、ＧＰＳ、ラジオ、及びＢｌｕｅｔｏｏｔｈ（登録商標）のような種々の通信方式の電波を受信するのに使用される。しかし、それら電波は微弱であるため、モバイル機器の無線回路は−５０ｄＢｍ以下の信号を受信できるようになっている。受信信号にノイズが重畳すると復号が困難になるので、音声通話及びデータ通信に支障が生じたり、映像、音声、及び位置情報の伝達に支障が生じたりする。この場合も、シールド鈑金、導電性シート又はノイズフィルタ等を使用したりローノイズアンプを追加したりする対策が取られるが、やはり装置全体の寸法が大型化するのでエンドユーザからの小型化の要求に応えることができない。近年、モバイル機器はさらに小型化しており、腕時計型や耳掛け型のものも存在する。このようなモバイル機器にもＢｌｕｅｔｏｏｔｈ（登録商標）等に対応する無線回路が搭載されるので、ノイズシールドを備える小型のスタッキングコネクタが求められている。
【０００５】
これに関連して、信号端子とは別に接地端子を備えるスタッキングコネクタが知られている。上記のスタッキングコネクタのソケット（レセプタクル）は、信号端子が装着されたモールド部材と、モールド部材の側方に配置されたシールド部材と、を有しており、上記の接地端子は、シールド部材と一体に形成されている。上記のスタッキングコネクタによればコネクタ内の信号の干渉を防止できるものの、接地端子がシールド部材と一体であるため信号端子と接地端子の配列を変更するのが困難である。具体的に言うと、上記のソケットの端子配列を変更するには、新たな端子配列に対応する金型、成形機、及び治具等の大掛かりな設備が必要になるので、多大なコストと時間がかかってしまう。
【先行技術文献】
【特許文献】
【０００６】
【特許文献１】特開２０１３−４１７７１号公報
【発明の概要】
【発明が解決しようとする課題】
【０００７】
本発明は、上記の問題点に鑑みてなされたものであり、本発明の目的は、信号端子及び接地端子の配列を任意に変更可能なコネクタソケット及びコネクタを提供することである。
【課題を解決するための手段】
【０００８】
実施形態の一観点によれば、複数の端子装着部を有する本体と、複数の端子装着部にそれぞれ装着された複数の端子と、本体に取り付けられた接地シールド部材と、を備え、複数の端子は、本体の外側に突出して接地シールド部材に接触する突出部を有する接地端子と、接地シールド部材に接触しない信号端子と、を含み、接地端子及び信号端子の各々は、複数の端子装着部のいずれにも装着可能に形成されている、コネクタソケットが提供される。
【発明の効果】
【０００９】
開示のコネクタソケットによれば、各接地端子及び各信号端子が本体上の複数の端子装着部のいずれにも装着可能であるので、各端子装着部に装着される接地端子又は信号端子を入れ替えるだけで本体上の端子配列を変更することができる。従って、開示のコネクタソケットによれば、金型、成形機、及び治具等の大掛かりな設備を用いなくても、本体上の信号端子及び接地端子の配列を任意に変更することができる。
【図面の簡単な説明】
【００１０】
【図１】図１は、本出願の第１実施例のコネクタを示す斜視図である。
【図２】図２は、図１中のソケットのみを示す斜視図である。
【図３】図３は、図２の部分拡大図である。
【図４】図４は、図２中のソケットの上面図である。
【図５】図５は、図４の部分拡大図である。
【図６】図６は、図２中のソケットの底面図である。
【図７】図７は、図５中のＶＩＩ−ＶＩＩ線に沿った断面図である。
【図８】図８は、図７中の接地端子のみを示す正面図である。
【図９】図９は、図７中の信号端子のみを示す正面図である。
【図１０】図１０は、図７中のソケットに端子を取り付ける前の状態を示す断面図である。
【図１１】図１１は、図１中のヘッダーのみを示す斜視図である。
【図１２】図１２は、図１１中のヘッダーの上面図である。
【図１３】図１３は、図１１中のヘッダーの底面図である。
【図１４】図１４は、図１２中のＸＩＶ−ＸＩＶ線に沿った断面図である。
【図１５】図１５は、図１４中のヘッダーに端子を取り付ける前の状態を示す断面図である。
【図１６】図１６は、本出願の第１実施例のコネクタを示す斜視図である。
【図１７】図１７は、図１６中のコネクタの正面図である。
【図１８】図１８は、図１６中のコネクタの左右方向に垂直な断面図である。
【図１９】図１９は、図１８中のソケットのみを示す上面図である。
【図２０】図２０は、本出願の第２実施例のコネクタにおけるソケットの上面図である。
【図２１】図２１は、本出願の第３実施例のコネクタにおけるソケットの上面図である。
【発明を実施するための形態】
【００１１】
以下、添付図面を参照して、本出願に係るコネクタソケットの実施の形態を、具体的な実施例に基づいて詳細に説明する。以下に説明する実施例では、本出願に係るコネクタソケットを備えるコネクタとして、２つの基板の接続に用いられるスタッキングコネクタを例示している。つまり、以下の実施例では、コネクタソケットが一方の基板に取り付けられ、コネクタソケットと結合可能なコネクタヘッダーが他方の基板に取り付けられる。ただし、本出願に係るコネクタソケットは、信号伝送用の複数の端子を有するコネクタソケットであれば如何なるものであってもよい。例えば、本出願に係るコネクタソケットは基板とフレキシブル基板との間の接続にも用いられうる。
【００１２】
図１は、本出願の第１実施例のコネクタＣを示す斜視図である。図１に示すように、コネクタＣは、互いに結合可能なコネクタソケット１及びコネクタヘッダー２から形成されており、コネクタソケット１及びコネクタヘッダー２は別々の基板Ｓ１，Ｓ２の主面に取り付けられている。以下の説明では、コネクタソケット１及びコネクタヘッダー２を単にソケット１及びヘッダー２と称している。一般に、コネクタのソケットはレセプタクルと呼ばれる場合があり、コネクタのヘッダーはプラグと呼ばれる場合がある。図１にはソケット１及びヘッダー２が互いに分離された状態が示されている。
【００１３】
先ず、図２〜図１０を参照して、コネクタＣのソケット１について説明する。図２は、図１中のソケット１のみを示す斜視図である。図３は、図２の部分拡大図である。図２及び図３に示すように、ソケット１は、２つの溝状の陥凹部１０１が設けられた上面Ｔ１を有する矩形状の本体１０と、本体１０の長手方向に沿って配置された複数の端子１２と、を備えている。また、ソケット１は、本体１０の外周を取り囲むように本体１０に取り付けられた枠状の側面シールド１３と、本体１０の幅方向の中央部に配置された平板状の中央シールド１４と、を備えている。
【００１４】
側面シールド１３は、本出願に係るコネクタソケットの接地シールド部材の一例である。中央シールド１４は、本出願に係るコネクタソケットの他の接地シールド部材の一例である。以下の説明では、本体１０の長手方向を左右方向と称し、本体１０の幅方向を前後方向と称している。さらに、左右方向と前後方向の両方に垂直な方向を上下方向と称している。図２及び図３では、左右方向、前後方向、及び上下方向をそれぞれ矢印Ｄ１，Ｄ２，Ｄ３で表している（他の図面においても同様である）。
【００１５】
図２及び図３に示すように、複数の端子１２は、前後方向に並んだ２つの列を形成しており、各列には左右方向の等間隔に配置された１９個の端子１２が含まれている。つまり、図２に示すソケット１は、端子数が３８個のデュアルインラインコネクタ用のソケットである。以下の説明では、上記の２つの列を第１及び第２の端子列Ａ１，Ａ２と称し、本体１０における各端子１２の装着箇所を端子装着部１１と称している。本体１０の複数の端子装着部１１は、左右方向に延びる２つの列を形成しており、各列には、等間隔に配置された１９個の端子装着部１１が含まれている。端子装着部１１の具体的な構造については図７及び図１０等を参照して後述する。本体１０は種々の絶縁材料で作ることができ、例えば、樹脂材料の射出成形によって形成されうる。
【００１６】
図４は、図２中のソケット１の上面図である。図５は、図４の部分拡大図である。図４及び図５に示すように、本体１０の各陥凹部１０１は、左右方向に延びる壁部の間に形成されている。具体的に言うと、一方の陥凹部１０１は、本体１０の前後方向の第１の側面Ｌ１を含む第１の側壁Ｗ１と、本体１０の前後方向の中央部に位置する中央壁Ｗ３との間に形成されている。他方の陥凹部１０１は、本体１０の前後方向の第２の側面Ｌ２を含む第２の側壁Ｗ２と中央壁Ｗ３との間に形成されている。本体１０の各陥凹部１０１は、各端子１２の一部分を収容している。また、各陥凹部１０１は、ソケット１とヘッダー２の結合時にヘッダー２の一部分を収容する。
【００１７】
図４を参照すると、枠状の側面シールド１３の四隅には接地端子１３０が設けられており、各接地端子１３０は、ソケット１が取り付けられる基板側の接地端子に接続される。図４及び図５を参照すると、側面シールド１３は、本体１０の第１の側面Ｌ１に対向する第１の部分Ｐ１と、本体１０の第２の側面Ｌ２に対向する第２の部分Ｐ２と、から形成されている。そして、側面シールド１３の第１の部分Ｐ１は、本体１０の第１の側面Ｌ１に沿って延びる延在部Ｐ１１と、延在部Ｐ１１の左右方向の両端部から延在部Ｐ１１に対して垂直に延びる垂直部Ｐ１２と、を含んでいる。同様に、側面シールド１３の第２の部分Ｐ２は、本体１０の第２の側面Ｌ２に沿って延びる延在部Ｐ２１と、延在部Ｐ２１の左右方向の両端部から延在部Ｐ２１に対して垂直に延びる垂直部Ｐ２２と、を含んでいる。
【００１８】
図４を参照すると、側面シールド１３の垂直部Ｐ１２，Ｐ２２は、本体１０の左右方向の側面Ｌ３，Ｌ４にそれぞれ固着されている。垂直部Ｐ１２，Ｐ２２は、固定ねじ又は固定ピン等の図示しない固定具によって本体１０の側面Ｌ３，Ｌ４に固定されるか、又は本体１０の側面Ｌ３，Ｌ４に接着されている。或いは、本体１０が第１及び第２の部分Ｐ１，Ｐ２の内側に嵌め込まれることによって側面シールド１３が本体１０に固着されてもよい。他方、側面シールド１３の延在部Ｐ１１，Ｐ１２は、本体１０の前後方向の側面Ｌ１，Ｌ２からそれぞれ離間している。以下では、第１の部分Ｐ１の延在部Ｐ１１を第１の延在部Ｐ１１と称し、第２の部分Ｐ２の延在部Ｐ２１を第２の延在部Ｐ２１と称することがある。側面シールド１３は種々の導電材料で作ることができ、例えば、金属材料の曲げ加工によって形成されうる。
【００１９】
図４を参照すると、各端子列Ａ１，Ａ２中の複数の端子１２は、隣接する側面シールド１３の延在部Ｐ１１，Ｐ２１と電気的に接続する接地端子１２Ｇと、側面シールド１３と電気的に接続しない信号端子１２Ｓと、を含んでいる。特に、第１の端子列Ａ１は、５個の接地端子１２Ｇと１４個の信号端子１２Ｓとから形成されており、第２の端子列Ａ２は、７個の接地端子１２Ｇと１２個の信号端子１２Ｓとから形成されている。図４に示す例では、第１の端子列Ａ１中の端子配列は左から右に向かって｛Ｓ，Ｓ，Ｓ，Ｓ，Ｇ，Ｓ，Ｓ，Ｇ，Ｓ，Ｓ，Ｇ，Ｓ，Ｓ，Ｓ，Ｓ，Ｇ，Ｓ，Ｓ，Ｇ｝である。第２の端子列Ａ２中の端子配列は｛Ｇ，Ｓ，Ｓ，Ｇ，Ｓ，Ｓ，Ｇ，Ｓ，Ｓ，Ｇ，Ｓ，Ｓ，Ｇ，Ｓ，Ｓ，Ｇ，Ｓ，Ｓ，Ｇ｝である。上記のＳは信号端子１２Ｓを表し、上記のＧは接地端子１２Ｇを表す。
【００２０】
図６は、図２中のソケット１の底面図である。図４〜図６に示すように、本体１０の前後方向の中央部には左右方向に延びるスリット１０２が設けられており、上記の中央シールド１４はスリット１０２内に配置されている。図４を参照すると、本体１０のスリット１０２及び中央シールド１４は、本体１０の陥凹部１０１の全長にわたって左右方向に延びている。図５及び図６を参照すると、スリット１０２は本体１０を上下方向に貫通しているので、中央シールド１４の上下方向の端面は本体１０の上面Ｔ１及び下面Ｂ１からそれぞれ露出している。本体１０の下面Ｂ１から露出する中央シールド１４の端面は、ソケット１が取り付けられる基板側の接地端子に接続される。中央シールド１４は、側面シールド１３と同様に、種々の金属材料で作ることができる。
【００２１】
続いて、ソケット１の端子１２の構造について説明する。図７は、図５中のＶＩＩ−ＶＩＩ線に沿った断面図である。図７中の断面では、接地端子１２Ｇが側面シールド１３の第２の延在部Ｐ２１に隣接して配置されており、信号端子１２Ｓが側面シールド１３の第１の延在部Ｐ１１に隣接して配置されている。図７に示すように、接地端子１２Ｇ及び信号端子１２Ｓの各々は、対応する側面シールド１３の延在部Ｐ１１，Ｐ２１の下方に位置する基端部１２ｂと、対応する陥凹部１０１，１０１の内側で中央壁Ｗ３に近接する先端部１２ｔと、を有している。さらに、接地端子１２Ｇ及び信号端子１２Ｓの各々は、対応する陥凹部１０１，１０１の内側で対応する側壁Ｗ２，Ｗ１に接触する中間部１２ｉを有している。各端子１２Ｇ，１２Ｓの基端部１２ｂは、ソケット１が取り付けられる基板上の回路網に接続される。各端子１２Ｇ，１２Ｓの先端部１２ｔは、ソケット１とヘッダー２の結合時にヘッダー２側の各端子に接続される。
【００２２】
図７に示すように、接地端子１２Ｇは、本体１０の対応する側壁Ｗ２に跨るように基端部１２ｂから中間部１２ｉまで延びる折り返し部１２１と、中間部１２ｉから先端部１２ｔまで鉤状に延びる湾曲部１２２と、から形成されている。図７に示すように、接地端子１２Ｇの折り返し部１２１は、側面シールド１３の対応する延在部Ｐ２１に接触するように前後方向の外向きに突出する突出部１２３を含んでいる。接地端子１２Ｇと同様に、信号端子１２Ｓは、本体１０の対応する側壁Ｗ１に跨るように基端部１２ｂから中間部１２ｉまで延びる折り返し部１２１と、中間部１２ｉから先端部１２ｔまで鉤状に延びる湾曲部１２２と、から形成されている。ただし、信号端子１２Ｓの折り返し部１２１は単純な逆Ｕ字形を有するので、上記の突出部１２３のような側面シールド１３に接触する部分を含んでいない。すなわち、信号端子１２Ｓの折り返し部１２１は、側面シールド１３の対応する延在部Ｐ１１には接触しない。
【００２３】
図８は、図７中の接地端子１２Ｇのみを示す正面図であり、図９は、図７中の信号端子１２Ｓのみを示す正面図である。図８と図９を比較すると分かるように、接地端子１２Ｇは、上記の突出部１２３を除いて、信号端子１２Ｓと同一の形状を有している。接地端子１２Ｇ及び信号端子１２Ｓは、種々の導電材料で作ることができ、例えば、銅又はアルミニウム等の金属材料の曲げ加工によって形成されうる。ただし、接地端子１２Ｇ及び信号端子１２Ｓは樹脂製の本体１０と一体成形されてもよい。
【００２４】
続いて、ソケット１の本体１０の端子装着部１１について説明する。図１０は、図７中のソケット１に接地端子１２Ｇ及び信号端子１２Ｓを取り付ける前の状態を示す断面図である。図１０に示すように、本体１０の端子装着部１１は、各側壁Ｗ１，Ｗ２に形成された逆Ｕ字形の係合溝の形態を有している。この係合溝は、上述した各端子１２Ｇ，１２Ｓの折り返し部１２１と係合可能に形成されている（図７も参照）。本実施のソケット１では、接地端子１２Ｇ用の端子装着部１１と信号端子１２Ｓ用の端子装着部１１が同一の構造を有している。図７を参照すると、各端子１２Ｇ，１２Ｓはプレス嵌めによって本体１０に装着されている。具体的に言うと、各端子１２Ｇ，１２Ｓの折り返し部１２１が対応する側壁Ｗ２，Ｗ１の端子装着部１１（係合溝）と係合することによって、各端子１２Ｇ，１２Ｓが本体１０に装着されている。
【００２５】
図２及び図３を参照すると、ソケット１の本体１０は、前後方向の２列に並んだ複数の端子装着部１１を有しており、全ての端子装着部１１は同一の構造を有している。そして、図８及び図９に示すように、接地端子１２Ｇは、折り返し部１２１の一部分（突出部１２３）を除き、信号端子１２Ｓと同一の構造を有している。特に、接地端子１２Ｇ及び信号端子１２Ｓの各々は、本体１０の複数の端子装着部１１のいずれにも装着可能に形成されている。従って、本例のソケット１によれば、個々の端子装着部１１に装着される接地端子１２Ｇ又は信号端子１２Ｓを入れ替えるだけで本体１０上の端子配列を任意に変更することができる。
【００２６】
次に、図１１〜図１５を参照して、コネクタＣのヘッダー２について説明する。図１１は、図１中のヘッダー２のみを示す斜視図である。図１１は、ソケット１とヘッダー２の結合時にソケット１の上面Ｔ１と対向するヘッダー２の上面Ｔ２を斜め上方から見た図である。図１１に示すように、ヘッダー２は、２つの隆起部２０１が設けられた上面Ｔ２を有する矩形状の本体２０と、本体２０の長手方向に沿って配置された複数の端子２２と、備えている。さらに、ヘッダー２は、本体２０の幅方向の中央部に配置された平板状の中央シールド２３を備えている。以下の説明では、ソケット１についての説明と同様に、ヘッダー２の本体２０の長手方向を左右方向と称し、本体２０の幅方向を前後方向と称している。さらに、左右方向と前後方向の両方に垂直な方向を上下方向と称している。図１１では、左右方向、前後方向、及び上下方向をそれぞれ矢印Ｄ１，Ｄ２，Ｄ３で表している（他の図面においても同様である）。
【００２７】
図１１に示すように、複数の端子２２は、前後方向に並んだ２つの列を形成しており、各列には、左右方向の等間隔に配置された１９個の端子２２が含まれている。つまり、図１１に示すヘッダー２は、図２に示すソケット１に対応するデュアルインラインコネクタ用のヘッダーである。以下の説明では、上記の２つの列を第１及び第２の端子列ａ１，ａ２と称し、本体２０における各端子２２の装着箇所を端子装着部２１と称している。本体２０の複数の端子装着部２１は、前後方向に並んだ２つの列を形成しており、各列には、左右方向の等間隔に配置された１９個の端子装着部２１が含まれている。本体２０は、種々の絶縁材料で作ることができ、例えば、樹脂材料の射出成形によって形成されうる。
【００２８】
上述したソケット１側の各端子１２と同様に、ヘッダー２側の各端子２２は、信号端子か接地端子のどちらかの機能を有している。具体的に言うと、ヘッダー２側の端子２２のうち、ヘッダー２とソケット１の結合時にソケット１側の信号端子１２Ｓと接触するものは、ヘッダー２側の信号端子の機能を有するようになる。同様に、ヘッダー２側の端子２２のうち、ヘッダー２とソケット１の結合時にソケット１側の接地端子１２Ｇと接触するものは、ヘッダー２側の接地端子の機能を有するようになる。ただし、ヘッダー２側の複数の端子２２の全ては同一の形状を有している。
【００２９】
図１１に示すように、２つの隆起部２０１，２０１は前後方向に並べて配置されており、各隆起部２０１はソケット１側の各陥凹部１０１と嵌合可能に形成されている。図１２は、図１１中のヘッダー２の上面図である。図１３は、図１１中のヘッダー２の底面図である。図１２及び図１３に示すように、本体２０の前後方向の中央部にはスリット２０２が設けられており、上記の中央シールド２３はスリット２０２内に配置されている。本体２０のスリット２０２及び中央シールド２３は、隆起部２０１に沿って左右方向に延在している。スリット２０２は本体２０を上下方向に貫通しているので、中央シールド２３の上下方向の端面は本体２０の上面Ｔ２及び下面Ｂ２からそれぞれ露出している。本体２０の底面Ｂ２から露出する中央シールド２３の端面は、ヘッダー２が取り付けられる基板側の接地端子に接続される。中央シールド２３は種々の導電材料で作ることができる。
【００３０】
続いて、ヘッダー２の端子２２の構造について説明する。図１４は、図１２中のＸＩＶ−ＸＩＶ線に沿った断面図である。図１４に示すように、ヘッダー２の各端子２２は、本体２０から前後方向の外向きに突出する基端部２２ｂと、本体２０の内部に位置する中間部２２ｉと、本体２０の対応する隆起部２０１の外側面に接触する先端部２２ｔと、を有している。各端子２２の基端部２２ｂは、ヘッダー２が取り付けられる基板上の回路網に接続される。各端子２２の先端部２２ｔは、ヘッダー２とソケット１の結合時にソケット１側の端子１２に接続される。
【００３１】
図１４に示すように、ヘッダー２の各端子２２は、基端部２２ｂから中間部２２ｉまで前後方向に延びる直線部２２１と、本体２０の対応する隆起部２０１に跨るように中間部２２ｉから先端部２２ｔまで延びる折り返し部２２２と、から形成されている。ヘッダー２側の各端子２２は、種々の導電材料で作ることができ、例えば、銅又はアルミニウム等の金属材料の曲げ加工によって形成されうる。ただし、ヘッダー２側の端子２２は、樹脂製の本体２０と一体成形されてもよい。
【００３２】
続いて、ヘッダー２側の端子装着部２１について説明する。図１５は、図１４中のヘッダー２に端子２２を取り付ける前の状態を示す断面図である。図１５に示すように、ヘッダー２側の本体２０は、底面Ｂ２に形成された前後方向の直線溝２１ａと、各隆起部２０１に形成されたＵ字形の係合溝２１ｂと、を有している。さらに、ヘッダー２側の本体２０は、上記の直線溝２１ａと係合溝２１ｂとの間を連通するように底面Ｂ２から上面Ｔ２まで延びる通し孔２１ｃを有している。本体２０の直線溝２１ａは、各端子２２の直線部２２１を受容可能に形成されている。そして、本体２０の係合溝２１ｂは各端子２２の折り返し部２２２と係合可能に形成されており、本体２０の通し孔２１ｃは各端子２２の中間部２２ｉを受容可能に形成されている。このように、ヘッダー２側の端子装着部２１は、上記の直線溝２１ａ、係合溝２１ｂ、及び通し孔２１ｃを含んでいる。図１４を参照すると、各端子２２はプレス嵌めによって本体２０に装着されている。
【００３３】
次に、図１６〜図１８を参照して、ソケット１とヘッダー２の結合構造について説明する。図１６は、本実施例のコネクタＣを示す斜視図である。図１６は、図１とは対照的に、ソケット１とヘッダー２が結合された状態を示している。図１７は、図１６中のコネクタの正面図である。図１７に示すように、本実施例のコネクタＣでは、ヘッダー２の各隆起部２０１がソケット１の対応する陥凹部１０１に差し込まれることによって、ヘッダー２とソケット１が相互に結合されている。ヘッダー２側の複数の端子２２はソケット１側の複数の端子１２と同様に配置されているので、ヘッダー２とソケット１の結合時には、ヘッダー２側の複数の端子２２がソケット１側の複数の端子１２とそれぞれ接触する。
【００３４】
図１８は、図１６中のコネクタＣの左右方向に垂直な断面図である。図１８中のソケット１の断面は図７中のソケット１の断面と同一であり、図１８中のヘッダー２の断面は図１４中のヘッダー２の断面と同一である。図１８に示すように、ヘッダー２とソケット１の結合時には、ヘッダー２側の各端子２２の折り返し部２２２が、ソケット１側の各端子１２Ｇ，１２Ｓの折り返し部１２１と先端部１２ｔとの間に入り込んでいる。これによりヘッダー２側の各端子２２がソケット１側の各端子１２Ｇ，１２Ｓと電気的に接続されている。
【００３５】
図１８中の断面の右側の部分を参照すると、本実施例のコネクタＣでは、ソケット１側の信号端子１２Ｓが、中央シールド１４と側面シールド１３の延在部Ｐ１１との間に配置されている。中央シールド１４と側面シールド１３の延在部Ｐ１１は前後方向に並んでいるので、信号端子１２Ｓは前後方向に両側でシールドされている。図１８に示す例では、ソケット１側の中央シールド１４とヘッダー２側の中央シールド２３が上下方向に離間しているが、２つの中央シールド１４，２３はソケット１とヘッダー２の結合時に互いに接触するように配置されてもよい。これによりコネクタＣの前後方向の中央部におけるシールド効果を向上させることができる。
【００３６】
図１６中の鎖線で囲まれた部分を参照すると、本実施例のコネクタＣでは、左右方向に隣接する２個の信号端子１２Ｓの群ＧＲが、左右方向に並んだ２個の接地端子１２Ｇ，１２Ｇの間に配置されている。つまり、本実施例のコネクタＣでは、信号端子１２Ｓの群ＧＲが２個の接地端子１２Ｇによって左右方向の両側でシールドされている。信号端子１２Ｓの上記の群ＧＲを以下では信号端子群ＧＲと称する。図１８を参照して説明した通り、各信号端子１２Ｓは側面シールド１３及び中央シールド１４によって前後方向の両側でもシールドされている。従って、本実施例のコネクタＣによれば、信号端子群ＧＲが２つの接地端子１２Ｇ，１２Ｇ及び２つのシールド１３，１４によって四方からシールドされるので、信号端子群ＧＲが他の信号端子１２Ｓから受ける放射ノイズの影響を軽減することができる。同様に、本実施例のコネクタＣによれば、信号端子群ＧＲの放射ノイズが他の信号端子１２Ｓに与える影響を軽減することができる。その結果、本実施例のコネクタＣは、例えば数百ＭＨｚ〜数ＧＨｚの高速の信号伝送にも対応することができる。
【００３７】
図７〜図１０等を参照して説明した通り、本実施例のコネクタＣでは、ソケット１側の信号端子１２Ｓ及び接地端子１２Ｇの各々が、本体１０上の端子装着部１１のいずれにも装着可能に形成されている。そのため、本実施例のコネクタＣによれば、ソケット１の各端子装着部１１に装着される信号端子１２Ｓ又は接地端子１２Ｇを入れ替えるだけで、ソケット１上の信号端子１２Ｓ及び接地端子１２Ｇの配列を任意に変更することができる。通常、ソケット１側の信号端子１２Ｓ及び接地端子１２Ｇを本体１０に装着する工程は、プログラムに従って動作する種々の自動機によって実行されている。そのため、本実施例のコネクタＣによれば、新たな端子配列に対応する金型、成形機、及び治具等の大掛かりな設備を用いなくても、上記のプログラムを変更するだけでソケット１上の端子配列を任意に変更できるようになる。
【００３８】
図１９は、図１６中のソケット１のみを示す上面図である。便宜上、図１９では、接地端子１２Ｇを黒で塗りつぶしている。図１９に示すように、ソケット１上の各端子列Ａ１，Ａ２には複数の接地端子１２Ｇが含まれており、左右方向に並んだ２個の接地端子１２Ｇの間には、２個以上の信号端子１２Ｓから形成される信号端子群ＧＲが配置されている。具体的に言うと、図１９中の第１の端子列Ａ１には、５個の接地端子１２Ｇが含まれており、左右方向に並んだ２個の接地端子１２Ｇの間には、２個又は４個の信号端子１２Ｓから形成される信号端子群ＧＲが配置されている。つまり、図１９中の第１の端子列Ａ１では、信号端子１２Ｓが接地端子１２Ｇによって２個ずつ又は４個ずつシールドされている。また、図１９中の第２の端子列Ａ２には、７個の接地端子１２Ｇが含まれており、左右方向に並んだ２個の接地端子１２Ｇの間には、２個の信号端子１２Ｓが配置されている。つまり、図１９中の第２の端子列Ａ２では、信号端子１２Ｓが接地端子１２Ｇによって２個ずつシールドされている。
【００３９】
図２０は、本出願の第２実施例のコネクタにおけるソケット１の上面図である。本実施例のコネクタは、ソケット１上の端子配列が上述した第１実施例のコネクタＣと相違している。図２０に示す第１の端子列Ａ１中の端子配列は、上述した図１９に示す例と同様である。他方、第２の端子列Ａ２中の端子配列は、信号端子１２Ｓが接地端子１２Ｇの間に２個ずつ配置される部分と、信号端子１２Ｓが接地端子１２Ｇの間に１個ずつ配置される部分と、から形成されている。つまり、第２の端子列Ａ２の一部分では、信号端子１２Ｓが接地端子１２Ｇによって２個ずつシールドされており、第２の端子列Ａ２の残りの部分では、信号端子１２Ｓが接地端子１２Ｇによって１個ずつシールドされている。
【００４０】
図２１は、本出願の第３実施例のコネクタにおけるソケット１の上面図である。本実施例のコネクタは、ソケット１上の端子配列が上述した第１実施例のコネクタＣと相違している。図２１に示す第１の端子列Ａ１中の端子配列は、上述した図１９に示す例と同様である。他方、図２１に示す第２の端子列Ａ２では、接地端子１２Ｇと信号端子１２Ｓが１個ずつ交互に配置されている。つまり、第２の端子列Ａ１の全長にわたって、信号端子１２Ｓが接地端子１２Ｇによって１個ずつシールドされている。
【００４１】
以上のように、各実施例のコネクタＣでは、ソケット１上の端子配列を変更することによって、任意の個数の信号端子１２Ｓをまとめてシールドすることもできるし、個々の信号端子１２Ｓを別々にシールドすることもできる。前者の場合には、まとめてシールドする信号端子１２Ｓの個数をソケット１内で任意に変化させることもできる（図１９〜図２１中の第１の端子列Ａ１を参照）。後者の場合には、ソケット１内の一部の信号端子のみを個別にシールドすることもできるし（図２０中の第２の端子列Ａ２を参照）、ソケット１内の全ての信号端子１２Ｓを個別にシールドすることもできる（図２１中の第２の端子列Ａ２を参照）。
【００４２】
以上、本出願を特にその好ましい実施の形態を参照して詳細に説明した。本出願の容易な理解のために、本出願の具体的な形態を以下に付記する。
【００４３】
（付記１）  複数の端子装着部を有する本体と、
前記複数の端子装着部にそれぞれ装着された複数の端子と、
前記本体に取り付けられた接地シールド部材と、を備え、
前記複数の端子は、前記本体の外側に突出して前記接地シールド部材に接触する突出部を有する接地端子と、前記接地シールド部材に接触しない信号端子と、を含み、
前記接地端子及び前記信号端子の各々は、前記複数の端子装着部のいずれにも装着可能に形成されている、コネクタソケット。
【００４４】
（付記２）  前記複数の端子は、前記本体上で２列に配置され、
前記複数の端子の一方の列と他方の列との間に位置するように前記本体に取り付けられた他の接地シールド部材をさらに備える、付記１に記載のコネクタソケット。
（付記３）  前記複数の端子には、複数の前記接地端子が含まれ、
複数の前記接地端子のうちの隣り合う２つの前記接地端子の間に、少なくとも１つの前記信号端子が配置される、付記１または２に記載のコネクタソケット。
（付記４）  前記接地端子は、前記突出部を除いて前記信号端子と同一の形状を有する、付記１〜３のいずれかに記載のコネクタソケット。
（付記５）  前記複数の端子のそれぞれが、前記複数の端子装着部のそれぞれと係合した状態で前記本体に装着されている、付記１〜４のいずれかに記載のコネクタソケット。
【００４５】
（付記６）  前記複数の端子のそれぞれが前記本体と一体成形されている、付記１〜４のいずれかに記載のコネクタソケット。
（付記７）  コネクタソケットと、前記コネクタソケットと結合可能なコネクタヘッダーと、を備えるコネクタであって、
前記コネクタソケットは、
複数の端子装着部を有する本体と、
前記複数の端子装着部にそれぞれ装着された複数の端子と、
前記本体に取り付けられた接地シールド部材と、を備え、
前記複数の端子は、前記本体の外側に突出して前記接地シールド部材に接触する突出部を有する接地端子と、前記接地シールド部材に接触しない信号端子と、を含み、
前記接地端子及び前記信号端子の各々は、前記複数の端子装着部のいずれにも装着可能に形成されている、コネクタ。
（付記８）  前記複数の端子は、前記本体上で２列に配置され、
前記複数の端子の一方の列と他方の列との間に位置するように前記本体に取り付けられた他の接地シールド部材をさらに備える、付記７に記載のコネクタ。
（付記９）  前記複数の端子には、複数の前記接地端子が含まれ、
複数の前記接地端子のうちの隣り合う２つの前記接地端子の間に、少なくとも１つの前記信号端子が配置される、付記７または８に記載のコネクタ。
【００４６】
（付記１０）  前記接地端子は、前記突出部を除いて前記信号端子と同一の形状を有する、付記７〜９のいずれかに記載のコネクタ。
（付記１１）  前記複数の端子のそれぞれが、前記複数の端子装着部のそれぞれと係合した状態で前記本体に装着されている、付記７〜１０のいずれかに記載のコネクタ。
（付記１２）  前記複数の端子のそれぞれが前記本体と一体成形されている、付記７〜１０のいずれかに記載のコネクタ。
（付記１３）  前記コネクタヘッダーは、ヘッダー本体と、前記ヘッダー本体上で２列に配置された複数のヘッダー端子と、前記複数のヘッダー端子の第１の列と第２の列との間に位置するように前記ヘッダー本体に取り付けられた第３の接地シールド部材と、を備え、
前記コネクタソケットと前記コネクタヘッダーの結合時に、前記他の接地シールド部材が前記第３の接地シールド部材に接触する、付記８に記載のコネクタ。
【符号の説明】
【００４７】
１    ソケット
１０，２０    本体
１０１    陥凹部
１０２，２０２    スリット
１１，２１    端子装着部
１２，２２    端子
１２１    折り返し部
１２２    湾曲部
１２３    突出部
１２ｂ，２２ｂ    基端部
１２ｉ，２２ｉ    中間部
１２ｔ，２２ｔ    先端部
１２Ｇ    接地端子
１２Ｓ    信号端子
１３    側面シールド
１４    中央シールド
２    ヘッダー
２０１    隆起部
２３    中央シールド
Ｂ１，Ｂ２    下面
Ｃ    コネクタ
Ｐ１１，Ｐ２１    延在部
Ｐ１２，Ｐ２２    垂直部
Ｔ１，Ｔ２    上面
【図１】
2017050235.tif 000003
【図２】
2017050235.tif 000004
【図３】
2017050235.tif 000005
【図４】
2017050235.tif 000006
【図５】
2017050235.tif 000007
【図６】
2017050235.tif 000008
【図７】
2017050235.tif 000009
【図８】
2017050235.tif 000010
【図９】
2017050235.tif 000011
【図１０】
2017050235.tif 000012
【図１１】
2017050235.tif 000013
【図１２】
2017050235.tif 000014
【図１３】
2017050235.tif 000015
【図１４】
2017050235.tif 000016
【図１５】
2017050235.tif 000017
【図１６】
2017050235.tif 000018
【図１７】
2017050235.tif 000019
【図１８】
2017050235.tif 000020
【図１９】
2017050235.tif 000021
【図２０】
2017050235.tif 000022
【図２１】
2017050235.tif 000023